(57)【特許請求の範囲】
【請求項１】
載置部材への物品保持部材の取付装置において、物品保持部材の載置部の裏面には、載置部材に形成された透孔に挿入可能な係止ブロックが垂設されており、また、物品保持部材の下部中央部に形成されたロック部材収容凹部には、本体ブロック部と該本体ブロック部の下部から略水平に所定の間隙を置いて形成された一対の嵌合ブロックを有する嵌合ブロック部とからなるロック部材が上下動可能に配設されており、物品保持部材の載置部の裏面に垂設された係止ブロックを、載置部材に形成された透孔に挿入した後、物品保持部材を水平移動させることにより、物品保持部材が載置部材に取り付けられるように構成されており、その後、ロック部材を下降させることにより、一対の嵌合ブロック間に形成された間隙に、載置部材に形成されたリブが挿入されるように構成されていることを特徴とする載置部材への物品保持部材の取付装置。
【発明の詳細な説明】
【技術分野】
【０００１】
本発明は、板状の載置部材に、物品が保持される保持部材を、取り付けるための載置部材への物品保持部材の取付装置に関するものである。
【背景技術】
【０００２】
従来、載置部材に物品を載置し、載置された物品の周壁に近接して、載置部材に多数、穿設された取付孔に、保持部材を取り付けるようにした取付装置が、特許文献１に開示されている。
【先行技術文献】
【特許文献】
【０００３】
【特許文献１】特開２００２−１４５２６８号公報
【発明の概要】
【発明が解決しようとする課題】
【０００４】
上述した従来の保持部材の下端部には、爪が形成された弾性変形可能な一対の舌片が垂設されており、保持部材を、載置部材に取り付けるには、舌片を弾性変形させることにより、載置部材に穿設された取付孔に、舌片を取り付けることになるが、保持部材を、載置部材に取り付ける毎に、保持部材の舌片が弾性変形されるので、舌片が損傷するという問題があった。
【０００５】
また、載置部材に取り付けられた保持部材が、載置部材から外れないようにするためには、載置部材に取り付けられた保持部材の舌片の爪と載置部材との係合力を高めなければならないが、そのためには、舌片の厚さを厚くしたり、舌片のの幅を広くしなければならないが、このように構成すると、載置部材に穿設された取付孔への舌片の取り付けの際に、舌片を弾性変形させるために、大きな力が必要となり、従って、保持部材の載置部材への取付作業の作業性が低下するという問題があった。
【０００６】
更に、物品が、直に、載置部材に載置されているために、物品の形状に応じて、載置部材に取り付けられる保持部材の取り付け位置を変更しなければならず、従って、物品の載置部材への取り付け作業の度に、保持部材の取り付け位置を変更しなければならないという問題があった。
【０００７】
更にまた、保持部材を、載置部材から取り外す際には、載置部材の下面側から、一対の舌片を互いに接近させることにより、舌片に形成された爪と載置部材との係合を解除することになり、従って、保持部材の載置部材からの係合解除作業の作業性が、悪いという問題があった。
【０００８】
本発明の目的は、上述した従来の載置部材への物品保持部材の取付装置が有する課題を解決することにある。
【課題を解決するための手段】
【０００９】
本発明は、上述した目的を達成するために、載置部材への物品保持部材の取付装置において、物品保持部材の載置部の裏面には、載置部材に形成された透孔に挿入可能な係止ブロックが垂設されており、また、物品保持部材の下部中央部に形成されたロック部材収容凹部には、本体ブロック部と該本体ブロック部の下部から略水平に所定の間隙を置いて形成された一対の嵌合ブロックを有する嵌合ブロック部とからなるロック部材が上下動可能に配設されており、物品保持部材の載置部の裏面に垂設された係止ブロックを、載置部材に形成された透孔に挿入した後、物品保持部材を水平移動させることにより、物品保持部材が載置部材に取り付けられるように構成されており、その後、ロック部材を下降させることにより、一対の嵌合ブロック間に形成された間隙に、載置部材に形成されたリブが挿入されるように構成したものである。
【発明の効果】
【００１０】
載置部材への物品保持部材の取付装置において、物品保持部材に、載置部材に形成された透孔に挿入される係止ブロックを形成するとともに、係止ブロックには、載置部材に載置された物品保持部材を水平方向に移動させることにより、載置部材の裏面に位置する係止部が形成されており、また、物品保持部材に、物品保持部材が水平方向に移動された後、載置部材に形成された透孔に嵌合する嵌合ブロックを有するロック部材を配設したので、載置部材に対する物品保持部材の移動を確実に防止することができる。
【００１１】
載置部材への物品保持部材の取付装置において、物品保持部材に、載置部材に形成された透孔に挿入される係止ブロックを形成するとともに、係止ブロックには、載置部材に載置された物品保持部材を水平方向に移動させることにより、載置部材の裏面に位置する係止部が形成されており、また、物品保持部材に、物品保持部材が水平方向に移動された後、載置部材に形成された透孔に嵌合する嵌合ブロックを有するロック部材を配設したので、従来の載置部材の裏側からの操作により、載置部材に載置された物品保持部材を取り外すのに比べ、物品保持部材の載置部材からの取り外しを容易に行うことができる。
【図面の簡単な説明】
【００１２】
【図１】図１は、本発明の載置部材への物品保持部材の取付装置の斜視図である。
【図２】図２は、本発明を構成する物品保持部材の斜視図である。
【図３】図３は、同じく、本発明を構成する物品保持部材の斜視図である。
【図４】図４は、本発明を構成する物品保持部材の部分拡大斜視図である。
【図５】図５は、本発明を構成するロック部材の斜視図である。
【図６】図６は、同じく、本発明を構成するロック部材の斜視図である。
【図７】図７は、本発明を構成する物品保持部材とロック部材の分解斜視図である。
【図８】図８は、本発明の物品保持部材の斜視図である。
【図９】図９は、本発明の載置部材への物品保持部材の取付装置の垂直断面図である。
【図１０】図１０は、同じく、本発明の載置部材への物品保持部材の取付装置の垂直断面図である。
【図１１】図１１は、同じく、本発明の載置部材への物品保持部材の取付装置の垂直断面図である。
【図１２】図１２は、本発明の別の実施例の斜視図である。
【図１３】図１３は、本発明の別の実施例の物品保持部材の斜視図である。
【図１４】図１４は、同じく、本発明の別の実施例の物品保持部材の斜視図である。
【図１５】図１５は、本発明の別の実施例の垂直断面図である。
【図１６】図１６は、同じく、本発明の別の実施例の垂直断面図である。
【図１７】図１７は、本発明の物品保持部材に載置される物品の緊締バンドの斜視図である。
【図１８】図１８は、本発明の物品保持部材に載置される物品の緊締バンドによる緊諦状態を示す垂直断面図である。
【実施例】
【００１３】
以下に、本発明の実施例について説明するが、本発明の趣旨を越えない限り、本発明の実施例に限定されるものではない。
【００１４】
図１に示されているように、載置部材への物品保持部材の取付装置（以下、
単に、取付装置とも称する。）は、載置部材Ａ１と該載置部材Ａ１に取り付けられる物品保持部材１とから構成されている。
【００１５】
平面形状が略方形状の載置部材Ａ１は、一方の周壁ａ１と、一方の周壁ａ１の相対する側壁ａ１ａに平行なリブａ１ａ’と、周壁ａ１のもう一方の相対する側壁ａ１ｂに平行なリブａ１ｂ’とから構成されており、周壁ａ１の一方の相対する側壁ａ１ａに平行なリブａ１ａ’と周壁ａ１のもう一方の相対する側壁ａ１ｂに平行なリブａ１ｂ’とにより、載置部材Ａ１には、平面形状が正方形状の多数の透孔ａ２が形成されている。
【００１６】
物品保持部材１は、図２〜図４に示されているように、物品が載置される水平状の載置部１ａと、載置部１ａの相対する辺部から立設された相対する垂直側部１ｂとを有しており、相対する垂直側部１ｂには、物品保持部材１を、載置部材Ａ１に固定するための後述するロック部材Ｈ’が配設されている。
【００１７】
物品保持部材１を構成する載置部１ａの４つの裏面角部１ａ１付近には、係止ブロック１ｃが垂設されており、係止ブロック１ｃは、載置部１ａの裏面角部１ａ１の付近の裏面から垂設された略角柱状の垂直部１ｃ１と、垂直部１ｃ１の下端から水平方向に延在する係止部１ｃ２とを有している。垂直部１ｃ１の下端から水平方向に延在する係止部１ｃ２は、全て、同じ方向に延在するように構成されている。また、係止部１ｃ２の延在方向と反対方向に位置する垂直部１ｃ１の側面は、係止部１ｃ２方向に向かう傾斜面１ｃ１’に形成されており、更に、傾斜面１ｃ１’と相対する側面は、垂直面１ｃ１”に形成されていることが好ましい。係止ブロック１ｃに、このような傾斜面１ｃ１’を形成することにより、係止ブロック１ｃの傾斜面１ｃ１’が、載置部材Ａ１に形成された透孔ａ２を構成する周壁ａ１やリブａ１ａ’、ａ１ｂ’に当接し、係止ブロック１ｃのガイド機能として機能し、係止ブロック１ｃの載置部材Ａ１に形成された透孔ａ２への挿入作業、或いは、係止ブロック１ｃの載置部材Ａ１に形成された透孔ａ２からの抜き取り作業の作業性が向上する。
【００１８】
物品保持部材１には、載置部１ａと相対する垂直側部１ｂとに跨がって、物品保持部材１の下部中央部に、底板１ｄ１と天板１ｄ２と相対する側板１ｄ３と奥板１ｄ４とからなるロック部材収容凹部１ｄが形成されている。
【００１９】
天板１ｄ２と奥板１ｄ４とに形成される隅部の中央部には、天板１ｄ２から奥板１ｄ４の中程まで延在するリブ構造の舌片用囲いリブ部１ｅが形成されており、舌片用囲いリブ部１ｅは、相対する垂直リブ１ｅ１と、相対する垂直リブ１ｅ１の下端部を連結する下端水平リブ１ｅ２とから構成されている。
【００２０】
舌片用囲いリブ部１ｅ内に位置する奥板１ｄ４には、天板１ｄ２から底板１ｄ１方向に延在する相対する垂直スリット１ｆ１と相対する垂直スリット１ｆ１の下端を連結する水平スリット１ｆ２とを形成することにより、弾性舌片１ｇが形成されており、弾性舌片１ｇの自由端部には、係合凸部１ｇ１が突設されている。係合凸部１ｇ１には、根元部から下方に傾斜したガイド上面傾斜面１ｇ１’と略水平な下面係合面１ｇ１”とが形成されている。また、ロック部材収容凹部１ｄには、ロック部材収容凹部１ｄを形成する相対する側板１ｄ３を連結する水平連結リブ１ｈが形成されており、水平連結リブ１ｈは、舌片用囲いリブ部１ｅの下方に位置するように構成されている。
【００２１】
ロック部材収容凹部１ｄを構成する相対する側板１ｄ３の相対する面には、奥板１ｄ４と所定の間隔を置いて、垂直に延在する物品保持部材側係合リブ１ｉが突設されている。
【００２２】
また、物品保持部材１には、載置部１ａと相対する垂直側部１ｂとの隅部中央部に隣接して、後述するロック部材Ｈ’を構成する嵌合ブロック部Ｈ２が嵌合される縦孔１ｊが形成されている。
【００２３】
次に、図５及び図６を用いて、物品保持部材１の相対する垂直側部１ｂ
の外側に形成されたロック部材収容凹部１ｄに配設されるロック部材Ｈ’について説明する。
【００２４】
ロック部材Ｈ’は、略垂直な本体ブロック部Ｈ１と該本体ブロック部Ｈ１の下部から略水平に延在する嵌合ブロック部Ｈ２とを有しており、ロック部材Ｈ’を構成する相対する側壁ｈ１は、本体ブロック部Ｈ１側に位置する垂直側壁部ｈ１ａと嵌合ブロック部Ｈ２側に位置する垂直側壁部ｈ１ｂとから面一に形成されている。
【００２５】
相対する垂直側壁部ｈ１ａには、縦方向に延在するロック部材側係合リブｈ２が形成されており、物品保持部材１に形成されたロック部材収容凹部１ｄに、ロック部材Ｈ’が配設された際には、ロック部材側係合リブｈ２と物品保持部材側係合リブ１ｉとが、互いに係合し、ロック部材Ｈ’が、物品保持部材１に形成されたロック部材収容凹部１ｄから、簡単には外れないように構成されている。
【００２６】
また、本体ブロック部Ｈ１の正面壁（ロック部材Ｈ’を、物品保持部材１に配設した際に、外側に位置する壁である。）ｈ１ｃには、作業者の指が挿入可能なロック部材用操作凹部ｈ３が形成されている。
【００２７】
更に、本体ブロック部Ｈ１の天部ｈ１ｄの中央部、及び、天部ｈ１ｄの下方に位置する、嵌合ブロック部Ｈ２付近の下部水平部ｈ１ｅの中央部には、それぞれ、凹部ｈ４が形成されている。この凹部ｈ４には、物品保持部材１に、ロック部材Ｈ’が配設された際に、物品保持部材１に形成されたロック部材収容凹部１ｄに形成された舌片用囲いリブ部１ｅが嵌合されるように構成されている。
【００２８】
更にまた、相対する垂直側壁部ｈ１ａの中央部には、天部ｈ１ｄと下部水平部ｈ１ｅとを連結する相対する中間垂直リブｈ５が形成されている。相対する中間垂直リブｈ５間に位置する天部ｈ１ｄと正面壁ｈ１ｃの裏面とにより形成される隅部の中央部には、ガイドリブｈ６が形成されている。ガイドリブｈ６には、天部ｈ１ｄから正面壁ｈ１ｃの裏面方向に傾斜したガイド傾斜端面ｈ６ａが形成されている。物品保持部材１に形成されたロック部材収容凹部１ｄに、ロック部材Ｈ’が、物品保持部材１にロックされていない状態で配設された際には、ガイドリブｈ６のガイド傾斜端面ｈ６ａが、物品保持部材１のロック部材収容凹部１ｄ内に配設された弾性舌片１ｇの係合凸部１ｇ１に形成されたガイド上面傾斜面１ｇ１’と対向するように構成されている。
【００２９】
嵌合ブロック部Ｈ２は、所定の間隙を置いて、一対の嵌合ブロックｈ７が形成されており、嵌合ブロックｈ７は、載置部材Ａ１に形成された透孔ａ２に嵌合できるような大きさに形成されている。また、相対する嵌合ブロックｈ７間には、載置部材Ａ１を形成するリブａ１ａ’、ａ１ｂ’が挿入可能なリブ挿入間隙Ｄが形成されている。
【００３０】
次に、図７及び図８を用いて、物品保持部材１へのロック部材Ｈ’の取り付けについて説明する。
【００３１】
先ず最初に、図７に示されているように、ロック部材Ｈ’が、嵌合ブロック部Ｈ２が先に物品保持部材１に形成されたロック部材収容凹部１ｄに挿入されるように配置し、その後、ロック部材Ｈ’を、ロック部材収容凹部１ｄ方向に移動させると、ロック部材Ｈ’の相対する垂直側壁部ｈ１ａに形成されたロック部材側係合リブｈ２が、物品保持部材１のロック部材収容凹部１ｄの相対する側板１ｄ３に形成された物品保持部材側係合リブ１ｉに当接することになるが、その後、更に、ロック部材Ｈ’を、ロック部材収容凹部１ｄ方向に移動させて、ロック部材側係合リブｈ２を、物品保持部材側係合リブ１ｉを越えて、物品保持部材側係合リブ１ｉの背後に位置させることにより、図８に示されているように、ロック部材Ｈ’が、ロック部材収容凹部１ｄに配設されることになる。
【００３２】
上述したように、ロック部材Ｈ’を、ロック部材収容凹部１ｄに配設した際には、ロック部材Ｈ’のロック部材収容凹部１ｄに形成された弾性舌片１ｇの係合凸部１ｇ１のガイド上面傾斜面１ｇ１’と、ロック部材Ｈ’に形成されたガイドリブｈ６のガイド傾斜端面ｈ６ａとが対向するように構成されている。このようにして、ロック部材Ｈ’が、物品保持部材１に取り付けられことになる。
【００３３】
次いで、図９〜図１１を用いて、物品保持部材１の載置部材Ａ１への取り付けについて説明する。
【００３４】
先ず最初に、図９に示されているように、物品保持部材１の載置部１ａの裏面角部１ａ１付近に垂設された係止ブロック１ｃを、載置部材Ａ１に形成された透孔ａ２に挿入し、物品保持部材１を、係止ブロック１ｃの垂直部１ｃ１の下端から水平方向に延在する係止部１ｃ２方向に、水平移動させることにより、図１０に示されているように、物品保持部材１に形成された係止ブロック１ｃの係止部１ｃ２の上面を、載置部材Ａ１の透孔ａ２を形成するリブａ１ａ’、ａ１ｂ’の下端、換言すれば、載置部材Ａ１の裏面に、当接或いは近接するように配置する。
【００３５】
その後、物品保持部材１のロック部材収容凹部１ｄに形成された弾性舌片１ｇの係合凸部１ｇ１のガイド上面傾斜面１ｇ１’と、ロック部材Ｈ’に形成されたガイドリブｈ６のガイド傾斜端面ｈ６ａとが対向している状態で、ロック部材Ｈ’を下降させることにより、ロック部材Ｈ’のロック部材収容凹部１ｄに形成された弾性舌片１ｇを、ロック部材Ｈ’に形成されたガイドリブｈ６により、物品保持部材１の載置部１ａ方向に弾性変形させながら、ロック部材Ｈ’に形成された一対の嵌合ブロックｈ７を、載置部材Ａ１に形成された透孔ａ２に挿入するとともに、図１１に示されているように、一対の嵌合ブロックｈ７間に形成された間隙Ｄに、載置部材Ａ１に形成されたリブａ１ａ’、ａ１ｂ’が挿入されるように構成されている。また、一対の嵌合ブロックｈ７間に形成された間隙Ｄに、載置部材Ａ１に形成されたリブａ１ａ’、ａ１ｂ’が挿入された際には、図１に示されているように、ロック部材収容凹部１ｄに形成された弾性舌片１ｇの係合凸部１ｇ１の下面係合面１ｇ１”が、ロック部材Ｈ’を構成する本体ブロック部Ｈ１の天部ｈ１ｄに係合されるように構成されている。このようにして、物品保持部材１が、載置部材Ａ１にロック状態に取り付けられることになる。
【００３６】
また、載置部材Ａ１と物品保持部材１とのロック状態を解除するには、ロック部材収容凹部１ｄに形成された弾性舌片１ｇを、物品保持部材１の載置部１ａ方向に弾性変形させることにより、ロック部材収容凹部１ｄに形成された弾性舌片１ｇの係合凸部１ｇ１の下面係合面１ｇ１”とロック部材Ｈ’を構成する本体ブロック部Ｈ１の天部ｈ１ｄとの係合を解除し、次いで、ロック部材Ｈ’を持ち上げて、ロック部材Ｈ’に物品保持部材１に形成された係止ブロック１ｃを、載置部材Ａ１に形成された透孔ａ２から引き抜き、載置部材Ａ１と物品保持部材１とのロック状態を解除するように構成されている。
【００３７】
上述したように、構成することにより、載置部材Ａ１からの物品保持部材１の取り外しを、載置部材Ａ１の裏面からではなく、物品保持部材１のロック部材収容凹部１ｄに配設されたロック部材Ｈ’を介して、行うことができるので、載置部材Ａ１からの物品保持部材１の取り外し作業の作業性が向上する。
【００３８】
次に、図１２〜図１６を用いて、本発明の別の実施例について説明する。
【００３９】
本実施例においては、載置部材Ａ２には、上述した平面形状が正方形状の透孔ａ２に代えて、平面形状が円形状の透孔ａ２０が、多数形成されている。
【００４０】
物品保持部材１の載置部１ａの４つの裏面角部１ａ１付近のうち、３箇所の裏面角部１ａ１付近には、３個の嵌合ブロック１０ｃが垂設されており、嵌合ブロック１０ｃは、載置部１ａの裏面角部１ａ１から垂設された略半円形状の垂直部１０ｃ１と、垂直部１０ｃ１の下端から水平方向に延在する、円盤状の係止部１０ｃ２とを有しており、３個の嵌合ブロック１０ｃの係止部１０ｃ２は、全て、同じ方向に延在している。また、嵌合ブロック１０ｃは、載置部材Ａ２に形成された透孔ａ２０に嵌合されるように構成されている。
【００４１】
また、物品保持部材１の載置部１ａの４つの裏面角部１ａ１付近のうちの１つの裏面角部１ａ１付近には、物品保持部材１を構成する相対する垂直側部１ｂの下端水平リブ１０ｄの一端に垂設された嵌合ブロック１０ｃと対向するように、嵌合円形透孔１０ｄ１が穿設されている。
【００４２】
また、嵌合円形透孔１０ｄ１が穿設されている下端水平リブ１０ｄと、垂直側部１ｂを形成する相対する端部側板１ｂ１の一方の端部側板１ｂ１と、下端水平リブ１０ｄと対向する天板１０ｆと、端部側板１ｂ１と対向する垂直板１０ｇと、奥板１０ｈとにより、ロック部材収容凹部１ｄ’が形成されている。
【００４３】
ロック部材収容凹部１ｄ’を構成する奥板１０ｈの中央部には、係合凸部１１が突設されており、係合凸部１１は、天板１０ｆから下端水平リブ１０ｄに向かって下方に傾斜した傾斜面１１ａと水平下面１１ｂとを有している。
【００４４】
また、ロック部材収容凹部１ｄ’に収容されるロック部材Ｈ”は、略角柱状の本体ブロック部Ｈ１’と、該本体ブロック部Ｈ１’の下面から垂設された、載置部材Ａ２に穿設された円形状の透孔ａ２０に嵌合される円柱状の嵌合ブロックＨ２’とを有している。
【００４５】
載置部材Ａ２に、物品保持部材１を取り付けるには、先ず最初に、図１５に示されているように、物品保持部材１の載置部１ａの４つの裏面角部１ａ１付近のうち、３箇所の裏面角部１ａ１付近に垂設されている３個の嵌合ブロック１０ｃを、載置部材Ａ２に穿設された３個の円形状の透孔ａ２０に挿入する。その後、物品保持部材１を、嵌合ブロック１０ｃを水平移動させることにより、図１６に示されているように、嵌合ブロック１０ｃの係止部１０ｃ２の上面を、載置部材Ａ２の裏面に当接或いは近接するように配置する。その後、ロック部材収容凹部１ｄ’に配設されたロック部材Ｈ”を下降させて、ロック部材Ｈ”に形成された嵌合ブロックＨ２’を、載置部材Ａ２に穿設された円形状の透孔ａ２０に嵌合することにより、図１６に示されているように、物品保持部材１が、載置部材Ａ２に取り付けられることになる。
【００４６】
ロック部材Ｈ”に形成された嵌合ブロックＨ２’が、載置部材Ａ２に穿設された円形状の透孔ａ２０に嵌合された際には、ロック部材収容凹部１ｄ’を構成する奥板１０ｈの中央部に形成された係合凸部１１の水平下面１１ｂが、ロック部材Ｈ”の本体ブロック部Ｈ１’の上面ｈ１０に、接或いは近接するように構成されている。このようにして、物品保持部材１に、ロック部材Ｈ”とがロック状態に配設されることになる。
【００４７】
物品保持部材１とロック部材Ｈ”とのロック状態を解除するには、ロック部材Ｈ”を、ロック部材収容凹部１ｄ’を構成する奥板１０ｈの中央部に形成された係合凸部１１を越えて上方に移動させることにより、ロック部材Ｈ”に形成された嵌合ブロックＨ２’を、載置部材Ａ２に穿設された円形状の透孔ａ２０から排出する。次いで、ロック部材収容凹部１ｄ’を構成する奥板１０ｈの中央部に形成された係合凸部１１の水平下面１１ｂが、ロック部材Ｈ”の本体ブロック部Ｈ１’の上面ｈ１０から、外れるように、物品保持部材１を水平移動し、その後、物品保持部材１を、上方に移動させることにより、載置部材Ａ２を、物品保持部材１から分離することができるように構成されている。
【００４８】
上述した実施例においては、載置部材Ａ２に穿設された透孔ａ２０が円形状に形成されているとともに、物品保持部材１に形成された嵌合ブロック１０ｃ及びロック部材Ｈ”に形成された嵌合ブロックＨ２’も、載置部材Ａ２に穿設された透孔ａ２０に嵌合される円柱状に形成されているので、物品保持部材１を、載置部材Ａ２の辺に対して、物品保持部材１の垂直側部１ｂが平行になるように取り付けることも、また、載置部材Ａ２の辺に対して、物品保持部材１の垂直側部１ｂが傾斜するように取り付けることもできるので、載置部材Ａ２に対する物品保持部材１の取り付け姿勢の自由度が大きくなる。
【００４９】
図１７には、物品保持部材１の載置部１ａに載置された物品を緊諦する、一例としての緊締バンドＢであり、緊締バンドＢは、基部ｂ１と、基部ｂ１の先端から二股に分かれた一対の枝部ｂ２とから構成されている。また、基部ｂ１の端部と枝部ｂ２の端部には、フックｂ３が形成されており、フックｂ３の先端部には、フックｂ３の主部ｂ３ａに対して垂直な係合フック部ｂ３ｂが形成されている。
【００５０】
上述した緊締バンドＢにより、物品保持部材１の載置部１ａに載置された物品を緊諦する例を、図７及び図８に示されている物品保持部材１を用いて説明する。
【００５１】
物品保持部材１の相対する垂直側部１ｂのうち、一方の垂直側部１ｂの内面（相対する垂直側部１ｂの載置部１ａ側に位置する面）１ｂ１には、緊締バンドＢの基部ｂ１が挿入される緊締バンド用凹部１ｂ２が形成されており、緊締バンド用凹部１ｂ２には、水平方向に延在するフック係止スリット１ｂ２’が形成されている。また、もう一方の垂直側部１ｂの内面１ｂ１には、緊締バンドＢの一対の枝部ｂ２が挿入される一対の緊締バンド用凹部１ｂ２が形成されており、緊締バンド用凹部１ｂ２には、水平方向に延在するフック係止スリット１ｂ２’が形成されている。
【００５２】
物品保持部材１の載置部１ａに載置された物品Ｐに載置した後、一方の垂直側部１ｂの内面１ｂ１に形成されたフック係止スリット１ｂ２’に、緊締バンドＢの基部ｂ１に取り付けられたフックｂ３の係合フック部ｂ３ｂを係止し、また、もう一方の垂直側部１ｂの内面１ｂ１に形成された一対のフック係止スリット１ｂ２’に、緊締バンドＢの枝部ｂ２に取り付けられたフックｂ３の係合フック部ｂ３ｂを係止する。このようにして、物品Ｐが、物品保持部材１に、移動しないように、安定的に載置されることになる。
【００５３】
なお、物品保持部材１の載置部１ａに載置された物品Ｐの緊締手段については、上述した緊諦手段に限定されるものでない。
【符号の説明】
【００５４】
Ａ１、Ａ２・・・・・・・・・・載置部材
ａ２、ａ２０・・・・・・・・・透孔
１・・・・・・・・・・・・・・物品保持部材
１ｄ・・・・・・・・・・・・・ロック部材収容凹部
Ｈ’、Ｈ”・・・・・・・・・・ロック部材
１ｃ・・・・・・・・・・・・・係止ブロック
【図１】
0005595947.tif 000002
【図２】
0005595947.tif 000003
【図３】
0005595947.tif 000004
【図４】
0005595947.tif 000005
【図５】
0005595947.tif 000006
【図６】
0005595947.tif 000007
【図７】
0005595947.tif 000008
【図８】
0005595947.tif 000009
【図９】
0005595947.tif 000010
【図１０】
0005595947.tif 000011
【図１１】
0005595947.tif 000012
【図１２】
0005595947.tif 000013
【図１３】
0005595947.tif 000014
【図１４】
0005595947.tif 000015
【図１５】
0005595947.tif 000016
【図１６】
0005595947.tif 000017
【図１７】
0005595947.tif 000018
【図１８】
0005595947.tif 000019